(57)【要約】【課題】本考案は、ズボン上部が二重で、二重部分の内側の布をとめ、外側の布を外したままで使用することも可能なズボンの提供。【解決手段】ズボン上部の内側の一部に同型の布を上辺が開くように縫いつけ、二重構造にすることで内側に縫い付けた布をとめたままで、ズボンを止め外し出来るので、まるでズボンを二枚はき、片方のズボンを一部脱いだ状態にみせる、インパクトの強いファッションを演出できる。【選択図】図１
0003119703.tif 000002
【実用新案登録請求の範囲】
【請求項１】
本考案は、ズボン上部の内側に同型の布を縫いつけ、二重構造にすることで、内側に縫い付けられた布と内側に布の縫い付けられた部位のズボンの両方を閉め、通常通りはくこともでき、かつ内側に縫い付けられた布をとめ、内側に布が縫い付けられている部位のズボンを外したままでの使用もできるズボン。
【請求項２】
本考案は、内側に縫い付けられた布と内側に布が縫い付けられている部位のズボンとの上辺をつなぐボタン等を背中心または開閉部に取り付ける事で、ズボンを閉じ、通常通りはいた際、内側に縫い付けられた布がずり落ちていかない効果を持った請求項１記載のズボン。
【考案の詳細な説明】
【技術分野】
【０００１】本考案は、ズボン上部の内側の全体または一部に、ズボンと内側に当てた布の上辺を開いた形態で縫い付け、ここからは縫い付けられた布を内側の布と呼ぶ、かつ内側の布と、内側に布が縫い付けられた部位のズボン、ここからは外側の布と呼ぶ、とをつなぐ留め具を取り付け、内側の布と外側の布の両方をとめ使用でき、内側の布をとめ、外側の布を外したままで使用することも可能なズボンに関する。
【背景技術】
【０００２】従来、ジーンズ等のズボンに穴を開け、パンツ等の布を縫いつけ、内側の布を見せる等の方法がとられている。
【考案の開示】
【考案が解決しようとする課題】
【０００３】ジーンズ等のズボンに穴を開け、パンツ等の布を縫い付ける形態は、特に若者に広く愛用されていたが、流行のはやく常に新しいものを追及するファッション業界の中で、従来のズボンは飽きられ、減少傾向にある。【０００４】本考案は、それらの問題を解決しようとするものである。本考案はズボン上部の全体または一部を二重に構成し、かつ外側の布を自由にとめ外しできる構造なので、内側の布と外側の布ととめ通常のズボンに見えるようはくこともできる上、外側の布のみを外しはくことができ、ひとつのズボンで二つの楽しみを持っている。
【課題を解決するための手段】
【０００５】本考案は、ズボン上部の内側の全体または一部を二重に構成し、かつ外側の布と内側の布とをつなぐとめ具をとりつけ、外側の布をとめ外し可能な構造なので、内側の布と外側の布の両方をとめ、通常のズボンと同じように見せて使用することもでき、外側を外したままで使用することもできるズボンである。
【考案の効果】
【０００６】外側の布を外したままで使用することで、まるで脱ぎっぱなしで歩いているように見えるインパクトの強い新しいパンツスタイルが生まれる。
【考案を実施するための最良の形態】
【０００７】本考案は、通常のズボンの上部の内側の全体または前部全体、後部全体、前部半面、後部半面、右部全面、左部全面、のいずれかにズボンと内側にあてた布の上辺が閉じないように縫いつけ、かつ内側の布と外側の布をつなぐとめ具を取り付けることで、二重となっている部位の内側の布と外側の布の両方を止め使用でき、かつ外側の布を外したままでの使用も可能に構成された形態である。
【実施例】
【０００８】以下、本考案の実施例を図面に基づいて説明する。図１から図５はズボン上部の内側の全面にズボン（１）と内側にあてた布（２）の上辺が閉じないように縫いつけたものである。内側の布（２）のとめ具（５）（６）は常に閉じ、ズボン（１）のとめ具（３）（４）をとめ、かつ背中心に取り付けられたとめ具（１８）を止めることでよれを防ぎ、通常のズボンにみせ使用する、またはズボン（１）のとめ具（３）（４）をとめず開けたままで、背中心の止め具を外し内側の布（２）を見せて使用する。【０００９】図６から図８はズボン上部の内側の前部半面にズボンと同型の布（１２）を上辺が閉じないように縫い付けた場合で、内側の布（１１）のとめ具（１２）の一番上のとめ具を布のついていない反対に取り付けられたボタン（１３）ととめ、ズボンのとめ具（３）（４）をとめることで、通常のズボンのようにみせ使用することもでき、内側の布（１１）とズボンの反面のとめ具（３）をとめ、もう反面（４）を外し使用する。【００１０】図９から図１１はズボン上部の内側の後部半面にズボンと同型の布（１４）を上辺が閉じないように縫い付けた場合で、内側の布の背中心についたとめ具（１５）とズボンの背中心についたとめ具（１６）をとめ、通常のズボンのようにみせ使用することもでき、外して内側の布（１４）が見えるように使用する。【００１１】以下、ズボン上部の内側の前部全面、後部前面、右部全面、左部全面等も二重となっている部位の基本的構造は同じで、二重になっている部位をとめたままでも、外したままでも使用できるよう形成されている。
【産業上の利用可能性】
【００１２】本考案は、従来のズボンのようにみせ使用することもできる上、内側の布をとめ、外側の布をはずしたままで使用できる機能をつけることで、デザインの幅を広げることができる。
【図面の簡単な説明】
【００１３】
【図１】ズボン上部全体が二重構造のズボンの表側の正面図
【図２】ズボン上部全体が二重構造のズボンの裏側の正面図
【図３】ズボン上部全体が二重構造のズボンの表側の背面図
【図４】ズボン上部全体が二重構造のズボンの裏側の背面図
【図５】ズボン上部全体が二重構造のズボンの上部から見た図
【図６】ズボン上部の前部半面が二重構造のズボンの表側の正面図
【図７】ズボン上部の前部半面が二重構造のズボンの裏側の正面図
【図８】ズボン上部の前部半面が二重構造のズボンの上部から見た図
【図９】ズボン上部の後部半面が二重構造のズボンの表側の背面図
【図１０】ズボン上部の後部半面が二重構造のズボンの裏側の背面図
【図１１】ズボン上部の後部半面が二重構造のズボンの上部から見た図
【符号の説明】
【００１４】（１）ズボン
（２）内側の全体に縫い付けられた布
（３）ズボンの左側のとめ具
（４）ズボンの右側のとめ具
（５）内側の布の左側のとめ具
（６）内側の布の右側のとめ具
（７）ベルトループ
（８）内側の布とズボンとを縫い付けている部分
（９）ズボンのポケット
（１０）  内側の布のポケット
（１１）  内側の前部半面に縫い付けられた布
（１２）  内側の前部半面に縫い付けられた布のとめ具
（１３）  （３）と（４）をとめた際（１２）をとめるとめ具
（１４）  内側の後部半面に縫い付けられた布
（１５）  背中心のズボンをとめるとめ具
（１６）  内側の布ととめるとめ具
（１７）  内側の布の後ろポケット
【図１】
0003119703.tif 000003
【図２】
0003119703.tif 000004
【図３】
0003119703.tif 000005
【図４】
0003119703.tif 000006
【図５】
0003119703.tif 000007
【図６】
0003119703.tif 000008
【図７】
0003119703.tif 000009
【図８】
0003119703.tif 000010
【図９】
0003119703.tif 000011
【図１０】
0003119703.tif 000012
【図１１】
0003119703.tif 000013